(57)【特許請求の範囲】
【請求項１】
複数個のカラーの１つにそれぞれ関連する複数個のセグメントを有するカラー・ホイールを通してろ波された光により生成され、それぞれ公称表示時間を有する各カラーに対する順次画素データにより表されたディスプレイの色温度を調整する方法において、
前記複数個のカラーの１つをドミナント・カラーとして選択するステップと、
非ドミナント・カラーの画素データに対しては、公称表示時間から表示時間を減少させるステップと、
前記公称表示時間からの非ドミナント・カラーの減少に対応する時間量について、該公称表示時間中に黒表示期間を与えるステップと、
を備えた前記方法。
【請求項２】
画像データ信号を順次カラー形式の画素データとして受け取り、または、該画像データ信号を順次カラー形式の画素データに変換する信号インタフェースと、
該信号インタフェースから前記画素データを受け取り、かつディスプレイ用の前記画素データを準備するプロセッサと、
前記画素データを記憶するフレーム・メモリと、
該フレーム・メモリから前記画素データを受け取り、かつ該画素データに基づき順次カラー画像を生成する空間光変調器と、
該空間光変調器に入射しまたは該空間光変調器によって反射された光をろ波して複数個のカラーにするための複数個のセグメントを備えたカラー・ホイールと、
ドミナント・カラー以外の少なくとも１つのカラーに対応する画素データが、そのカラーに関連された前記カラー・ホイールのセグメントのサイズに対応する公称表示時間より短い時間中に表示されるように、各カラーに対応する画素データの表示時間を規定するタイミング装置と、
を備えたカラー表示システム。
【発明の詳細な説明】
【０００１】
【発明が属する技術分野】
本発明は、画像表示方法及び装置に関し、特にカラー・ホイール（color wheel ）を使用するディジタル表示の色温度を調整する方法及び装置に関する。
【０００２】
【従来の技術】
複数の空間光変調器（ＳＬＭ）に基づく画像表示装置は、陰極線管（ＣＲＴ）に基づいた画像表示装置の代替物である。ＳＬＭシステムは、かさばるＣＲＴシステムのない高解像度が得られるものである。
【０００３】
複数のディジタル・マイクロ・ミラー装置（ＤＭＤ）は、ＳＬＭの１型式であり、これを直視又は投映表示装置に用いることができる。ＤＭＤは数百又は数千の小さな傾斜ミラーのアレーを有し、各ミラーは画像の１画素に関する光を提供する。複数のミラーを傾斜できるようにするために、各ミラーは、複数のサポート・ポスト上に搭載された１以上のヒンジに取り付けられると共に、下部の制御回路上の空隙により間隔を置いて配置されている。この制御回路は各ミラーを選択的に傾斜させる静電力を発生させる。表示応用の場合に、画像データをＤＭＤのメモリ・セルにロードし、このデータに従ってミラーを傾斜させることにより光を像平面へ反射させるか、又は光を像平面から偏向させるようにする。
【０００４】
ＳＬＭ表示装置においてカラー画像を得る一つの解決方法として、「シーケンスシャル・カラー」に注目される。画像の１フレームにおける全ての画素は、異なるカラーで逐次的にアドレス指定される。例えば、各画素は赤、緑及び青の値を有し得る。そのときに、各フレーム期間において、そのフレームの画素はそれらの画素の赤、青、次いで緑データが交互にアドレス指定される。これら同一カラーの３セグメントを有するカラー・ホイールがデータに同期されて、各カラーに関するデータがＳＬＭにより表示されるとき、ＳＬＭへの入射光がカラーホイルによってろ波される。例えば毎秒３０フレームのＮＴＳＣの速度のような、標準的な表示速度のときは、目は適正なカラーを有するものとして画像を認識する。
【０００５】
各カラーの強さを変えるために種々の変調機構を用いることができる。例えば、各画素は、各カラーについて８ビットの２４ビット値を有することができる。これは、カラーなし（黒）に対する０値を含む、各カラーについて２8 ＝２５６レベルの輝度を可能にする。そのときに、各カラーについて、画素はある時間長についてオンとなってその画素値に対応させることができると共に、複数カラーの組合わせによりフル・カラーの表示を可能にさせる。
【０００６】
【発明が解決しようとする課題】
カラー・ディスプレイのときに、画像品質の１特徴は色温度である。これは、白に対する「白さ」により示される主観的な評価である。これは、色温度のパフォーマンスがある地理的なパターンに従っている写真フィルム産業に対して類比させることにより仮定される。例えば、米国人は青白い色温度を好むと思われる。ヨーロッパ人はどのような色温度であっても「最も真実」な皮膚の色合いを与えるものを好むと思われる。これは、カラー表示システムにとってどのような色温度であっても市場で好まれるものを提供できることが望ましい。
【０００７】
【課題を解決するための手段】
本発明の第１の特徴は、カラー・ホイールによりろ波された光により発生され、かつ各カラーに関する逐次的な画素データにより表された表示の色温度を調整する方法である。ドミナント・カラー（dominant color）に対応するカラー・ホイールのセグメント・サイズはやや増加するので、ドミナント・カラー・セグメントが得られる。動作において、ドミナント・カラーの画素データに関する表示時間は、ドミナント・カラー・セグメント・サイズの増加に比例した時間量により増加される。非ドミナント・カラーに対応するカラー・ホイールのセグメント・サイズはやや増加し、これによって非ドミナント・カラー・セグメントが得られる。動作において、非ドミナント・カラーの画素データに関する表示時間は、非ドミナント・カラー・セグメント・サイズの減少に比例した時間量により、減少する。異なる３色のセグメントを有する典型的なカラー・ホイールでは、第１のセグメントがドミナント・セグメントであり、他の２セグメントは非ドミナント・セグメントである。
【０００８】
本発明の他の実施例において、カラー・ホイールの各セグメントはサイズが等しい。しかし、非ドミナント・セグメントに対する表示時間は減少し、この減少はカラー・ホイールを介して光を供給しないことにより、達成している。
【０００９】
本発明の効果は、色温度を異なる市場にカストマイズさせることができることである。一般に、表示システムは、カラー・ホイール・セグメントの相対的な光効率を電子的に変化させることにより構築可能である。セグメントに対する表示時間と共にカラー・ホイールを変化させる実施例では、総合的なカラー・ホイール効率が１００パーセントである。同一のカラー・ホイールを使用し、かつセグメントに対する表示時間のみを変化させる実施例では、効率が少し低下する。
【００１０】
表示システムに調整可能な色温度を付加することは、高いコストを付加することなく達成できる。更に、調整可能なために、カラー・ホイールに対する製造許容誤差を緩やかにすることができ、コストを更に低減する結果となる。
【００１１】
【発明の実施の形態】
以下の説明は、ＳＬＭにより発生した画像を表示する表示システムに関するものである。しかし、本発明は、ＳＬＭに基づく表示に限定されるものではなく、逐次的なカラー表示用のカラー・ホイールを用いる任意の表示システムに用いることもできる。例えば、表示システムはＬＣＤ表示デバイスに基づくものでもよい。他の実施例として、ここで説明するデータをアナログ信号に変換してカラー・ホイールにより画像をろ波する白色光のＣＲＴに用いてもよい。画素データは、ディジタル的に用いられようが、又はアナログに変換されようが、各カラーに関する表示時間が可変にされる意味においては「時間変調」されている。
【００１２】
図１は典型的なＳＬＭに基づく画像表示システム１０のブロック図であり、本発明によるカラー・ホイール１５を使用している。本発明は、以下で説明するように、画素データの表示時間を電子的に制御することに向けられたものなので、カラー・ホイール１５は光を所望の色温度にろ波している。
【００１３】
画像表示システム１０の種々の構成要素に関する下記概要は、本発明を理解するために有用な詳細を示している。ＤＭＤに基づく画像表示システム、及び他の型式のカラー・ホイール・システムに関する更なる詳細は、「標準独立ディジタル化ビデオ・システム（Standard Independent Digitized Video System ）」と題する米国特許第５，０７９，５４４号、「ディジタル・テレビジョン・システム（Digital Television System ）」と題する米国特許第０８／１４７，２４９号、「ＤＭＤ表示システム（DMD Display System）」と題する米国特許第０８／１４６，３８５号に説明されている。ＳＬＭに基づく画像表示システム用カラー・ホイールの一般動作についての更なる詳細は、「白色強化光カラー・フィールドの逐次的な投映（White Light Enhanced Color Field Sequential Projection）」と題する米国特許第５，２３３，３８５号、「逐次的なカラー・イメージング方法及び装置（Method and Apparatus for Sequential Color Imaging ）」と題する米国特許第０８／１７９，０２８号、及び「カラー・ホイール用ディジタル・モータ・コントローラ（Digital Motor Contoroller for Color Wheel ）」と題する米国特許第０８／３３９，３７９号に説明されている。これらの特許及び特許出願は、いずれもテキサス・インスツルメンツ・インコーポレーテッドに譲渡されており、ここではそれぞれ引用により併記する。
【００１４】
信号インタフェース１１はある種の入力信号を入力している。ここでは例示のために、入力信号は水平及び垂直同期成分を有する標準的なアナログ・ビデオ信号であると仮定する。しかし、他のシステムでは、入力信号は既にディジタル形式のグラフィック・データであってもよい。
【００１５】
ビデオ入力信号の場合では、信号インタフェース１１は同期信号及び音声信号からビデオ信号を分離する。信号インタフェース１１には、データを画素データ・サンプルに変換するＡ／Ｄ変換器、及び色データから輝度信号を分離するＹ／Ｃ分離器が含まれている。信号はＹ／Ｃ変換の前にディジタル・データに変換されてもよく、又はＹ／Ｃ分離はディジタル化の前に行われてもよい。
【００１６】
画素データ・プロセッサ１２は表示のために種々の処理タスクを実行することによりデータを整える。画素データ・プロセッサ１２には処理中に画素データを記憶する処理メモリが含まれている。画素データ・プロセッサ１２により実行されるタスクには、線形化、カラースペース変換、及びライン発生が含まれる。線形化は、ガンマ補正の効果を除去するものであり、このガンマ補正はＣＲＴディスプレイの非線形動作に対して補正をするように放送信号上で実行される。カラースペース変換は、データをＲＧＢデータに変換することである。ライン発生は、奇数ライン又は偶数ラインを補充するために新しいデータを発生させて、インターレースされているデータ・フィールドを完全なフレームに変換するために用いられてもよい。これらのタスクを実行する順序は変更可能である。
【００１７】
ディスプレイ・メモリ１３は画素データ・プロセッサ１２から処理した画素データを受け取る。このデータが画素データ・プロセッサ１２によりまだフォーマットされていなければ、ディスプレイ・メモリ１３は入力における、又は出力におけるデータを「ビット・プレーン」フォーマットにして、ＳＬＭ１４にビット・プレーンを送出する。このビット・プレーン・フォーマットは、ＳＬＭ１４の各画素に対して一時に１ビットを提供するものであリ、各画素をそのビットの重み付けに従ってオン又はオフできるようにする。例えば、各画素がそれぞれ３つのカラーについて８ビットにより表されるときは、３×８＝２４ビット・プレーン／フレームとなる。下位ビットを含むビット・プレーンは、上位ビットを含むビット・プレーンより短い表示時間となる。
【００１８】
典型的な画像表示システム１０において、ディスプレイ・メモリ１３は二重バッファ・メモリである。これは、ディスプレイ・メモリ１３が少なくとも２表示フレーム用の容量を有することを意味する。一方の表示フレーム用のバッファをＳＬＭ１４に読み出している間に、バッファに即ち他方の表示フレームを書き込むことができる。２つのバッファは「ピンポン」形式で制御されているので、データをＳＬＭ１４に連続的に提供することができる。
【００１９】
ＳＬＭ１４は任意型式のＳＬＭが可能である。例えば、この説明は表示システムに関するものであり、そのＳＬＭはディジタル・マイクロ・ミラー装置（ＤＭＤ）である。しかし、前述のように、同一の概念は、他の型式のＳＬＭ又は他の画像発生装置を用いる表示システムにも適用される。
【００２０】
ＳＬＭ１４に入射される光は、白色光源１６から供給され、回転しているカラー・ホイール１５を介して伝送される。図１の表示システムでは、ＳＬＭ１４は反射ＳＬＭ（ＤＭＤ）であり、カラー・ホイール１５は反射前に光をろ波するために用いられる。これに代わって、カラー・ホイール１５は、光が放射又は反射された後に、ろ波されるように配置されてもよい。
【００２１】
従来技術で説明したように、各カラー用のデータが逐次的であり、かつデータの表示が同期されているので、光をＳＬＭ１４に伝送しているカラー・ホイール１５の部分は、表示しているデータに対応している。この説明の例では、各画素がＲＧＢデータ値により表される。これは、各画素がある赤値、緑値及び青値を有することを意味する。あるフレーム内の全ての画素の各カラーに関する値は表示されているので、カラー・ホイール１５が回転することにより、対応する赤、青又は緑フィルタを介して光が伝送される。各画素において、これら３つの値の組合わせは所望の色として認識される。
【００２２】
カラー・ホイール１５には、その速度及び位相を制御するモータ・コントローラにより制御されたモータが含まれている。例えば、所望速度は、６０フレーム／秒の表示速度に対応するように６０回転／秒であってもよい。その位相は、そのフィルタに対するデータが表示されている際に、カラー・ホイール１５の適正なフィルタ（赤、緑又は青）がＳＬＭに光を伝送するように設定される。カラー・ホイール１５と表示されているデータとの間で正しい位相関係を保持するために、カラー・ホイール１５は速度を増加又は低下させてもよく、又はデータを遅延若しくは又は飛び越してもよい。
【００２３】
マスタ・タイミング装置１８は種々のシステム制御機能を提供する。マスタ・タイミング装置１８により提供される第１のタイミング信号は、画素値の各ビット重み付けに関する表示時間を定める信号である。以下、図３に関連して説明するように、本発明の第１の実施例は、特に、色温度制御装置１９を介してユーザ選択の色温度に影響され易い。
【００２４】
ＤＭＤに基づくシステムを以上で説明したように、ＳＬＭ１４に送出されたデータは、パルス幅変調のために特殊なビット・プレーン・フォーマットになっている。画素の各赤、緑及び青値はｎビット／フレームを有する。０（黒）の画素値は、そのフレームにおいてそのカラーに関する画素をオフにすることに帰結する。各カラーにおいて、ＳＬＭ１４の各ミラー・エレメントは、１ＬＳＢ期間から２n −１ＬＳＢ期間までの任意の長さに対して、「オン」にすることができる。換言すれば、各カラーは２n −１時間スライスを有し、０と２n −１との間の任意数の時間スライスに対して任意の画素をオンにすることができる。
【００２５】
１フレームのデータをＴ秒の１フレーム期間で表示する場合に、カラー・ホイール１５はＴ秒の回転周期を有する。各カラーが等しい時間につき表示されるものとすると、カラー・ホイール１５は各カラーのセグメント・サイズが等しく、かつ各カラーに対するデータがＴ／３秒間表示される。ＬＳＢ期間は、各カラーに関するフレーム時間／そのカラーに関するＬＳＢ期間の数となる。したがって、全てのカラーは同一に取り扱われ、ｎビット／カラーが存在する場合に、ＬＳＢ期間は、以下のように計算される。
【００２６】
【数１】
0004079466.tif 000002
６０フレーム／秒の表示の場合に、フレーム期間は約１６．７ミリ秒となる。８ビット／カラーを有する画素データの場合に、各ＬＳＢ時間は、ほぼ同一時間値を用いて１６．７ｍｓ／３×２５５即ち２１．８マイクロ秒である。
【００２７】
図２はカラー・ホイール１５’を用いて本発明により色温度を調整する方法を示す。図２の例では青白い色温度を有することが望まれている。この説明では、青が「ドミナント・カラー」となる。赤及び緑は「非ドミナント・カラー」となる。
【００２８】
カラー・ホイール１５’の青セグメントは、図示のように、拡張されている。特に、等しいサイズの複数セグメント・サイズを有するカラー・ホイールは、各セグメントが１２０度の円弧を有するのに対して、カラー・ホイール１５’の青セグメントは１２０＋α度に拡張され、赤セグメント及び緑セグメントは大きさを１２０−α／２度に減少された。
【００２９】
青セグメントの拡張に対応して、青データを表示している時間が増加する。この増加は青セグメント・サイズの増加に比例する。赤及び緑データを表示する時間は、赤セグメント及び緑セグメント・サイズの減少に比例して減少する。
【００３０】
青の表示時間は以下のように計算される。
【００３１】
【数２】
0004079466.tif 000003
ただし、αは青セグメントを増加させる度数である。赤及び緑の表示時間は以下のように計算される。
【００３２】
【数３】
0004079466.tif 000004
【００３３】
表示時間の増減はＬＳＢ期間（スライス毎に）調整することにより行われてもよい。そのときに、各ビット・プレーンは長い表示時間を有するので、これは、そのカラーの表示時間を通じて、各カラーに対する変化を均一にする。しかし、他の解決方法、例えば上位ビットのビット・プレーンのみについて表示時間を変更することも可能である。
【００３４】
ＬＳＢ期間を調整する場合に、青データのＬＳＢ期間に関する増加は、以下のように計算される。
【００３５】
【数４】
0004079466.tif 000005
これは青データに関するＬＳＢデータであることに直接従っている。即ち、
【００３６】
【数５】
0004079466.tif 000006
赤及び緑データの場合に、ＬＳＢ時間に関する減少は、青データのＬＳＢ時間に関する増加の１／２である。これらのＬＳＢ期間は次のように計算される。
【００３７】
【数６】
0004079466.tif 000007
【００３８】
図３は本発明により色温度を調整するためにカラー・ホイール１５”を作動させる第２の方法を示す。図２の実施例のように、青白い色温度を有することが望まれている。しかし、図２の実施例のように各セグメント・サイズを変化させる代わりに、カラー・ホイール１５”の非ドミナント・カラー用の表示時間が単純に減少される。
【００３９】
カラー・ホイール１５”の全てのセグメントは、サイズが等しく、１２０度の円弧を有する。しかし、非ドミナント・カラーのセグメント・サイズは、セグメントの一部に関するカラー・ホイールを介して光を供給しないことにより、効果的に減少されている。その結果、画像が短期間につき黒状態になる。この黒画像は目により容易に積分にされる。ＤＭＤに基づくシステムでは、全てのミラー・エレメントをオフすることにより黒画像が得られる。
【００４０】
特に、カラー・ホイール１５”の場合に、ドミナント・カラー（青）に関するデータには、総回転周期の１／３が割り付けられる。従って、青に関する表示時間はＴ／３であり、青データに関するＬＳＢ期間には影響しない。
【００４１】
α／２は、赤セグメント及び緑セグメントを減少させる度数である場合に、それらの表示時間を以下のように計算することができる。
【００４２】
【数７】
0004079466.tif 000008
黒画像は、表示時間の減少に等しい時期間について表示され、非ドミナント・カラーに関して喪失した表示時間中に表示される。
【００４３】
図２の実施例のように、非ドミナント・カラーに関する表示時間の減少は、ＬＳＢ期間を減少させることにより、又はそのカラーに関する表示時間に対するある程度の他の調整により、得られる。これは、ＬＳＢ期間を減少させると、次のようになる。
【００４４】
【数８】
0004079466.tif 000009
【００４５】
図３の実施例の特徴は、色温度におけるばらつきがカラー・ホイールにおける物理的な変更を要求しないことである。変更はデータのタイミングだけある。図１を再び参照すると、ユーザに所望の色温度を選択できるようにする色温度制御装置１９をイメージ表示システム１０に組み込むことができる。その場合に、色温度制御装置１９は、各カラーに関する所要の遅延時間を計算し、この情報をマスタ・タイミング装置に供給することになる。
【００４６】
本発明の両実施例において、本発明の基本的な概念から逸脱することなく、表示時間の増減量を変化させることができる。例えば、図２の実施例では、各非ドミナント・カラーのセグメント・サイズ及び表示時間における減少は、各カラーについて同一である必要はない。実際には、非ドミナント・カラーの全てを一つにして減少させることも可能である。しかし、同一のフレーム速度を保持するために、非ドミナント・カラーに関する表示時間の総合的な減少は、ドミナント・カラーに関する表示時間の増加と同一である。同様に、図３の実施例において、黒の表示時間は非ドミナント・カラーに関して同一である必要はなく、唯一のカラーからのものであるとすることも考えられる。
【００４７】
更に、両実施例において、一つではなく２つのドミナント・カラーが存在する可能性がある。図２の実施例において、２つのカラーに関するセグメント・サイズ及び表示時間は、第３のカラーに関してセグメント・サイズ及び表示時間における減少に対応して増加されてもよい。図３の実施例では、一非ドミナント・カラーのみに関する表示時間を減少させることができる。
【００４８】
カラー・ホイールは連続的なセグメントの代わりにインターリーブされたセクションに赤、緑、及び青セグメントを有することも可能である。以上で引用により併記した米国特許第０８／１７９，０２８号は、人口物を減少させる方法としてこの技術を説明している。本発明の方法は、セクション間に割り付けられているセグメント・サイズ及び表示時間を増減させることにより、複数セクションに適用されてもよい。
【００４９】
最後に、カラー・ホイールは３つ以下又は以上のカラーを有することが可能である。さもなくば、カラー・ホイールは、以上で引用により関連された米国特許第５，２３３，３８５号に説明されているように白セグメントを有するものであってもよい。以上で説明した概念は、各カラーに割り付けられたカラー・ホイールの部分を占めるように適当な変更により適用される。
【００５０】
他の実施の形態
本発明は特定の実施例を参照して説明されたが、この説明は限定する意味で解釈されることを意図するものではない。当該技術分野に習熟する者には、開示した実施例の種々の変形と共に他の実施例が明らかである。従って、特許請求の範囲は本発明の真の範囲内に含まれる全ての変形を包含することを意図するものである。
【００５１】
以上の説明に関して更に以下の項を開示する。
【００５２】
（１）カラー・ホイールによりろ波された光により発生され、かつ各カラーに関する逐次的な画素データにより表されたディスプレイの色温度を調整する方法において、
ドミナント・カラーに対応する前記カラー・ホイールのセグメント・サイズを増加させて、ドミナント・カラー・セグメントを得るステップと、
前記ドミナント・カラー・セグメント・サイズにおける増加に比例した時間量により前記ドミナント・カラーの画素データに関する表示時間を増加させるステップと、
非ドミナント・カラーに対応する前記カラー・ホイールのセグメント・サイズを減少させて、非ドミナント・カラーを得るステップと、
非ドミナント・カラー・セグメントのサイズにおける減少に比例した時間量により前記非ドミナント・カラーの前記画素データに関する表示時間を減少させるステップと
を含むディスプレイの色温度を調整する方法
【００５３】
（２）前記画素データはビット・プレーンにフォーマットされており、かつ前記表示時間を増加させる前記ステップ及び前記表示時間を減少させるステップは、１以上のビット・プレーンに関する前記表示時間を調整することにより達成される第１記載のディスプレイの色温度を調整する方法。
【００５４】
（３）前記表示時間は前記最下位ビット（ＬＳＢ）期間を増減させることにより調整される第２記載のディスプレイの色温度を調整する方法。
【００５５】
（４）前記増加させるステップは、１以上のドミナント・カラーにより実行される第１記載のディスプレイの色温度を調整する方法。
【００５６】
（５）前記減少させるステップは、１以上の非ドミナント・カラーにより実行される第１記載のディスプレイの色温度を調整する方法。
【００５７】
（６）前記カラー・ホイールは前記異なる３つのカラーに関するセグメントを有し、かつ前記増加させるステップは一つのカラーにより実行され、かつ前記減少させるステップは２つのカラーにより実行される第１記載のディスプレイの色温度を調整する方法。
【００５８】
（７）カラー・ホイールを介してろ波された光により発生され、かつ各カラーに関して逐次的な画素データにより表されるディスプレイの色温度を調整する方法において、
ドミナント・カラーとして前記カラー・ホイールの少なくとも一つのカラーを選択するステップと、
非ドミナント・カラーの画素データに関する前記遅延時間を減少させるステップと、
別個に前記非ドミナント・カラーの画素データが表示される時間中に、前記非ドミナント・カラーの表示時間の減少に等しい時間量に関する黒表示期間を設けるステップと
を含むディスプレイの色温度を調整する方法。
【００５９】
（８）前記画素データはビット・プレーンにフォーマットされており、かつ前記表示時間を減少させる前記ステップは、１又はそれより多くのビット・プレーンに関する前記表示時間を調整することにより達成される第７記載のディスプレイの色温度を調整する方法。
【００６０】
（９）前記表示時間は前記最下位ビット（ＬＳＢ）期間を減少させることにより調整される第８記載のディスプレイの色温度を調整する方法。
【００６１】
（１０）前記減少させるステップは、１以上の非ドミナント・カラーにより実行される第７記載のディスプレイの色温度を調整する方法。
【００６２】
（１１）前記カラー・ホイールは前記異なる３つのカラーに関するセグメントを有し、かつ前記減少させるステップは２つのカラーにより実行される第１記載のディスプレイの色温度を調整する方法。
【００６３】
（１２）カラー表示システムにおいて、
逐次的なカラー形式による画素データとして画像データ信号を受け取るか、又は前記画像データ信号を逐次的なカラー形式の画素データに変換する信号インタフェースと、
前記信号インタフェースから前記画素データを受け取り、かつ前記画素データを準備して表示させるプロセッサと、
前記画素データを記憶するフレーム・メモリと、
前記フレーム・メモリから前記画素データを受け取り、かつ前記画素データに基づき逐次的なカラー画像を発生する空間光変調器と、
前記空間光変調器に入射された光、又は前記空間光変調器により反射された光をろ波するカラー・ホイールであって、前記カラー・ホイールは他の複数のセグメントより大きなドミナント・カラー・セグメントを有する前記カラー・ホイールと、
前記ドミナント・カラーに対応する画素データが前記カラー・ホイールの他のカラーに対応する画素データより長い期間について表示されるように、各カラーに対応する前記画素データに関する表示時間を定めるタイミング装置と
を備えたカラー表示システム。
【００６４】
（１３）前記カラー・ホイールは、一つのドミナント・カラー・セグメント及び２つのドミナント・カラー・セグメントを有するように、３つのカラーに対するセグメントを有する第１２項記載のカラー表示システム。
【００６５】
（１４）前記空間光変調器はディジタル・マイクロ・ミラー装置である第１２項記載のカラー表示システム。
【００６６】
（１５）前記タイミング装置は最下位ビット（ＬＳＢ）期間を定めることにより前記表示時間を定める第１２項記載のカラー表示システム。
【００６７】
（１６）更に、前記プロセッサから前記画素データを受け取り、かつ前記画素データをビット・プレーン形式にするフォーマッタを備え、かつ前記フレーム・メモリはビット・プレーン・フォーマットにより前記画素データを記憶する第１２項記載のカラー表示システム。
【００６８】
（１７）前記フォーマッタは前記プロセッサの一部である第１６項記載のカラー表示システム。
【００６９】
（１８）前記フォーマッタは前記フレーム・メモリの一部である第１６項記載のカラー表示システム。
【００７０】
（１９）画像が逐次的な画素データに基づいていると共に、カラー・ホイール１５、１５’、１５”を介してろ波される表示システム１０により表示される画像の色温度を調整する方法。各カラーに関する相対表示時間を調整して対応した色温度の調整となるようにする。第１の実施例（図２）では、カラー・ホイールの各セグメント・サイズが各セグメントに対応したデータに関する表示時間と共に変更される。第２の実施例（図３）では、１以上のセグメントに対応したデータに関する表示時間を黒表示時間により減少させてその相違を補充させる。
【図面の簡単な説明】
【図１】本発明により構築され、かつ作動されるカラー・ホイールを有する表示システムのブロック図。
【図２】本発明の第１の実施例により作動されるカラー・ホイールを示す図。
【図３】本発明の第２の実施例により作動されるカラー・ホイールを示す図。
【符号の説明】
１０  イメージ表示システム
１１  信号インタフェース
１２  画素データ・プロセッサ
１３  ディスプレイ・メモリ
１４  空間光変調器（ＳＬＭ）
１５、１５’、１５”  カラー・ホイール
１８  マスタ・タイミング装置
１９  色温度制御装置
【図１】
0004079466.tif 000010
【図２】
0004079466.tif 000011
【図３】
0004079466.tif 000012